(57)【要約】      （修正有）【課題】落鉱受板の近傍に適切なレイアウトスペースがない場合にも設置できるようにしたベルトコンベアの清掃装置を提供する。【解決手段】ベルトコンベアの落鉱受板Ｒの高レベル側の始端部より高い位置の固定構造部Ｄにはケース１１，１２を配置し、ケース内には貯水タンクを内蔵する。ケースの底部には放流パイプ２１を接続し、放流パイプの先端を落鉱受板Ｒの始端部に向けて延設する。ケースには回転軸を、上記貯水タンクの体積中心より下方で、貯水タンクの空状態での重心より上方で、回転方向とは反対側の偏心した位置にて取付ける。貯水タンクに洗浄水を注水し、所定の貯水量で貯水タンクを反転させて洗浄水を放水し、この洗浄水をケースで受けて放流パイプによって落鉱受板の始端側に放流し、落鉱受板上の落鉱を押し流す。【選択図】図１
0003152811.tif 000002
【実用新案登録請求の範囲】
【請求項１】
ベルトコンベアの落鉱受板に向けて一定量の水を間欠的に吐出させ、落鉱受板上の落鉱を押し流すようにした清掃装置において、
常態位置にて上部開口から洗浄水を受けて貯水し回転位置にて洗浄水を放水する貯水タンク(13)と、
ベルトコンベアのリターン側下方に傾斜配置された落鉱受板(R)の高レベル側の始端部より高い位置の固定構造部(D)に配置され、上記貯水タンク(13)を内蔵するケース(11,12) と、
該ケース(11,12)の底部に接続されて落鉱受板(R)の始端部に向けて延び、上記ケース(11,12) 内に放水された洗浄水を上記落鉱受板(R)の始端部に放流する放流パイプ(21)と、
上記ケース(11,12)に取付けられ、上記貯水タンク(13)の体積中心より下方で、該貯水タンク(13)の空状態での重心より上方で、回転方向とは反対側の偏心した位置にて上記貯水タンク(13)を回転自在に支持する回転軸(14)と、
常態位置にある上記貯水タンク(13)の上方に配置され、上記貯水タンク(13)に洗浄水を注水する注水口部(18)と、
該注水口部(18)に洗浄水を供給する注水ポンプ(25C)と、
を備えたことを特徴とするベルトコンベアの清掃装置。
【請求項２】
上記落鉱受板(R)の終端部から流れてくる放流水を集水して放流水から落鉱(F)を分離する分離槽(25)を更に備え、上記注水ポンプ(25C)が上記分離槽(25)の水を循環路(19)を介して注水口部(18)に循環させるようになっている請求項１記載のベルトコンベアの清掃装置。
【請求項３】
上記貯水タンク(13)の回転方向と反対側の壁面にはバランサー(23)が設けられ、回転を開始させる貯水量が上記バランサー(23)の位置及び/ 又は重さによって調整されるようになっている請求項１記載のベルトコンベアの清掃装置。
【請求項４】
上記落鉱受板(R)には放流された洗浄水をガイドするガイドプレート(R1)が長手方向に延びて設けられている請求項１記載のベルトコンベアの清掃装置。
【考案の詳細な説明】
【技術分野】
【０００１】
本考案はベルトコンベアの清掃装置に関し、特に水流を間欠的に、しかも制御装置を使用することなく発生させ、ベルトコンベアの落鉱受板を無人で清掃できるようにした清掃装置に関する。
【背景技術】
【０００２】
ベルトコンベアは現在普及している輸送手段のなかで最も低価格の輸送機であり、各種の工場や設備で多く採用されているが、輸送物が粉状や粒状の場合あるいは粉状物や粒状物を含む場合にはベルトコンベアの乗継部には落差があるので、粉塵の飛散が避けられない。
【０００３】
そこで、図７に示されるように、乗継部のシュータＣとコンベアベルトＢとの間をスカート板Ｓで覆って粉塵の飛散を軽減する一方、コンベアベルトＢのリターン側下方に搬送方向に沿って落鉱受板Ｒを傾斜配置し、コンベアベルトＢからの粉塵（落鉱）を受け、粉塵による環境汚染を少なくすることが行われている。
【０００４】
ところで、上述の鉱受板Ｒには粉塵（落鉱）が堆積することになるので、清掃することが必要であるが、落鉱受板Ｒは高所に設置されるので、その清掃作業は大変危険であるばかりでなく、作業者の負担が大きい。
【０００５】
これに対し、貯水タンクの体積中心より下方で、貯水タンクの空状態での重心より上方で、回転方向とは反対側の偏心した位置にて貯水タンクを回転軸で回転自在に軸支し、貯水タンクに貯水された洗浄水の重心が貯水量とともに変化し、一定以上の貯水量になると、貯水タンクが反転して一定量の水を落鉱受板に放流し、落鉱を間欠的に押し流すようにしたベルトコンベアの清掃装置が提案されている（特許文献１）。
【先行技術文献】
【特許文献】
【０００６】
【特許文献１】特開平０４−２４８４１６号公報
【考案の概要】
【考案が解決しようとする課題】
【０００７】
しかし、特許文献１記載の清掃装置では洗浄水を貯水タンクから落鉱受板の上流側にダイレクトに放流するようにしていたので、取付け箇所が制限され、落鉱受板の近傍に適切なレイアウトスペースがない場合には設置することができなかった。
【０００８】
本考案はかかる問題点に鑑み、落鉱受板の近傍に適切なレイアウトスペースがない場合にも設置できるようにしたベルトコンベアの清掃装置を提供することを課題とする。
【課題を解決するための手段】
【０００９】
そこで、本考案に係るベルトコンベアの清掃装置は、ベルトコンベアの落鉱受板に向けて一定量の水を間欠的に放流させ、落鉱受板上の落鉱を押し流すようにした清掃装置において、常態位置にて上部開口から洗浄水を受けて貯水し反転位置にて貯水した洗浄水を放水する貯水タンクと、ベルトコンベアのリターン側下方に傾斜配置された落鉱受板の高レベル側の始端部より高い位置の固定構造部に設置され、上記貯水タンクを内蔵するケースと、該ケースの底部に接続されて落鉱受板の始端部に向けて延び、上記ケース内に放水された洗浄水を上記落鉱受板の始端部に放流する放流パイプと、上記ケースに取付けられ、上記貯水タンクの体積中心より下方で、該貯水タンクの空状態での重心より上方で、回転方向とは反対側のやや偏心した位置にて上記貯水タンクを回転自在に支持する回転軸と、常態位置にある上記貯水タンクの上方に配置され、上記貯水タンクに注水する注水口部と、該注水口部に水を供給する注水ポンプと、を備えたことを特徴とする。
【００１０】
本考案の特徴の１つは貯水タンクから放水された洗浄水を一旦ケースで受け、ケースから放流パイプによって落鉱受板の始端部に向けて自重で送って放流させるようにした点にある。
【００１１】
これにより、洗浄水を放流パイプによって落鉱受板に放流させることができるので、清掃装置を任意の場所、特に落鉱受板の始端部から離れた場所に設置することができ、落鉱受板近傍のレイアウトペースによって設置が制限されることがない。
【００１２】
洗浄水には水道水を使用してもよいが、コスト高になる。そこで、使用済みの洗浄水から落鉱を分離し、循環させて再使用するのがよい。すなわち、落鉱受板の終端部から流れてくる洗浄水を集水して洗浄水から落鉱を分離する貯水槽を更に備え、注水ポンプによって貯水槽の洗浄水を循環路を介して注水口部に循環させるように構成するのがよい。
【００１３】
貯水タンクの材料は鋼材その他の金属材料、合成樹脂材料あるいは公知の複合材料が使用できるが、耐食性を考慮すると、ＦＲＰにて製造されるのがよい。また、貯水タンクは反転時の放水性を考慮すると、バケツのように底部から上部に向かって内径が増大するような形状とするのがよいが、一定の内径を有する角筒形状又は丸筒形状とすることもできる。
【００１４】
貯水タンクの容量は用途に応じて適切な洗浄水の量が得られるように設定する。
【００１５】
また、貯水タンクは体積中心下方を軸線が通る回転軸の廻りに回転するので、空状態では貯水タンクの回転軸より上部が下部より重たい場合もある。そこで、貯水タンクが反転して洗浄水を放水した後、常態位置に確実に復帰するように、バランサーを設けるのがよい。
【００１６】
また、貯水タンクの回転方向と反対側の側面にバランサーを配置し、その位置及び／又は重さを調整することによって貯水タンクの回転を開始させる貯水量を調整することができる。このバランサーは復帰用のバランサーと兼用することもできる。また、貯水タンクの壁面の一部、特に貯水タンクの回転方向側壁面に弾性ストッパーを設け、貯水タンクを弾性ストッパーに当接させ、その反撥力により貯水タンクが回転を開始する貯水量を調節するようにしてもよい。
【図面の簡単な説明】
【００１７】
【図１】本考案に係るベルトコンベアの清掃装置の好ましい実施形態を示す概略斜視図である。
【図２】上記実施形態を示す要部斜視図である。
【図３】上記実施形態を示す側面断面構成図である。
【図４】上記実施形態を示す正面断面構成図である。
【図５】上記実施形態における貯水タンクの動作を説明するための図である。
【図６】上記実施形態の変形例を示す図である。
【図７】ベルトコンベアの落鉱受板を示す図である。
【考案を実施するための形態】
【００１８】
以下、本考案を図面に示す具体例に基づいて詳細に説明する。図１ない図５は本考案に係るベルトコンベアの清掃装置の好ましい実施形態を示す。図において、ベルトコンベアのリターン側下方にはＦＲＰ製の落鉱受板Ｒがベルト進行方向に沿って配置され、又ベルトコンベアの上部デッキＤには本例の清掃装置１０のケース１１が脚１１Ｂによって設置されている。
【００１９】
この清掃装置１０において、ステンレス製のケース１１は開閉可能なステンレス製の上蓋１２を備え、ケース１１内にはＦＲＰ製の貯水タンク１３が内蔵され、貯水タンク１３は内径が上方になるほど拡径した側面釣り鐘状に形成され、貯水タンク１３には回転軸１４が取付けられ、回転軸１４はケース１２の軸受１５に回転自在に支持され、軸受１５にはグリスの自動注油器１６が設けられ、軸受１５及び自動注油器１６は防塵カバー１７で覆われている。
【００２０】
ケース１１の上蓋１２の側面には点検口１２Ａが開設され、又上蓋１２には注水ノズル（注水口部）１８が常態位置にある貯水タンク１３の上面開口と対面して取付けられ、注水ノズル１８には循環ホース１９が接続され、循環ホース１９にはケース１１の近傍にて給水量を調節するコック２０が設けられている。
【００２１】
ケース１１の底面の最底位置には放流口１１Ａが形成され、放流口１１Ａには放流パイプ２１が接続され、放流パイプ２１の先端は落鉱受板Ｒの高さレベルが最も高い始端側に向けて延び、洗浄水を放流するようになっている。
【００２２】
ここで、貯水タンク１３の回転軸１４は図５に示されるように貯水タンク１３の体積中心ＶＣを通る水平線より下方で、垂直中心線より回転方向とは反対側にやや偏心した位置に取付けられ、又貯水タンク１３の回転方向と反対側の壁面にはバランサー２２が取付けられ、貯水タンク１３が反転して洗浄水を放水した後、元の常態位置に向けて復帰させるようになっている。このバランサー２２は貯水タンク１３を常態位置から反転位置に向けて回転を開始させる貯水量を調整するバランサーとしても機能している。
【００２３】
他方、落鉱受板Ｅの最下位置になる終端部には使用済みの洗浄水を集水して分離槽２５に導く集水パイプ２４が接続され、分離槽２５内は低い仕切り壁によって２つに仕切られ、仕切り壁の上端縁にはメッシュフィルター２５Ａが設けられ、落鉱が分離された洗浄水はメッシュフィルター２５Ａを介してオーバーフロー槽２５Ｂにオーバーフローされ、フロースイッチ２５Ｅによって注水ポンプ２５Ｃが作動され、オーバーフロー水は注水ポンプ２５Ｃによって循環ホース１９を介して注水ノズル１８に循環される。
【００２４】
また、分離槽２５内において沈降して堆積した落鉱Ｆは分離槽２５側面の取出口２５Ｄから定期的に取り出すことができるようになっている。
【００２５】
なお、落鉱受板Ｒの幅が広い場合には放流された洗浄水が偏って流れるおそれがある。かかる場合には図２に示されるように、複数のガイドプレートＲ１を相互に間隔をあけて長手方向に延びて設けるのがよい。
【００２６】
次に、動作について説明する。貯水タンク１３が空の場合、貯水タンク１３は回転軸１４がタンクの体積中心ＶＣより下方で、かつ中心線より前方に偏っているが、バランサー２３によりやや回転方向とは反対に傾斜して静止している（図５(a) ２点鎖線参照）。
【００２７】
注水が始まると、貯水タンク１３は直立位置に戻り、その位置で貯水する。その後、回転軸１４のレベルを越えて貯水量が増えると、重心Ｇが前方に移り、貯水タンク３は回転方向に傾き、それに伴って洗浄水が貯水タンク１３の前方に移動する（図５の(b) 参照）。貯水量が増加すると、貯水タンク１３は反転を開始し、一挙に勢いよく反転する（図５の(c) 参照）。これによって貯水タンク１３内の洗浄水は一挙に貯水タンク１３から放水される。この放水された洗浄水はケース１１で受けられ、放流パイプ２１を経て落鉱受板Ｒの始端側に放流され、落鉱受板Ｒに堆積する落鉱を一挙に押し流し、集水パイプ２４から分離槽２５に送られる。
【００２８】
分離槽２５に送られた使用済みの洗浄水は落鉱が沈澱分離され、落鉱の分離された洗浄水はメッシュフィルター２５Ａを介してオーバーフロー槽２５Ｂにオーバーフローする。オーバーフロー槽２５Ｂにオーバーフロー水が一定量貯水されると、フロースイッチ２５Ｅが注水ポンプ２５Ｃを作動させ、オーバーフロー水を循環ホース１９を介して注水ノズル１８に循環させる。
【００２９】
分離槽２５において沈降して堆積した落鉱Ｆは側面に設けた取出口２５Ｄから定期的に取り出すことができる。
【００３０】
以上のように、貯水タンク１３を洗浄水の重さによって反転させ、洗浄水を間欠的に放流して落鉱受板Ｒ上の落鉱Ｆを押し流すことができ、制御装置を用いることなく自動的にかつ無人で落鉱受板Ｒを洗浄することができる。
【００３１】
しかも、貯水タンク１３が自重によって反転して洗浄水を放水させ、これをケース１１で一旦受けて放流パイプ２１によって落鉱受板Ｒに放流するようにしたので、ケース１１及び貯水タンク１３の設置場所が制限されず、落鉱受板Ｒの最高高さよりも高い場所であれば任意の場所に設置することができる。
【００３２】
図６は上記実施形態の変形例を示す。本例では分離槽２５’内には堰板２５’Ｃが差し込まれて底方に流水口が形成され、分離槽２５’内には落鉱回収タンク２５’Ａが内蔵され、落鉱回収タンク２５’Ａは取っ手２５’Ｂによって引き上げ可能になっている。
【００３３】
また、分離槽２５’の堰板２５’Ｃ側の上端にはオーバーフロー排水口２５’Ｄが設けられ、オーバーフロー水がオーバーフロー槽２５Ｂにオーバーフローされるようになっている。
【００３４】
さらに、分離槽２５’の側壁には清掃口２５’Ｅが形成されて蓋によって封鎖され、分離槽２５’の堰板２５’Ｃ側の下端には清掃用パイプ２５’Ｆが取付けられている。
【００３５】
以上のように、分離槽２５’を二重構造とし、内側の落鉱回収タンク２５’Ａを引き出して落鉱を回収するようにしてもよい。
【符号の説明】
【００３６】
Ｒ    落鉱受板
１０      清掃装置
１１      ケース
１２      上蓋
１３      貯水タンク
１４      回転軸
１５      軸受
１８      注水ノズル（注水口部）
１９      循環ホース
２１      放流パイプ
２３      バランサー
２５      分離槽
２５Ｃ    注水ポンプ
【図１】
0003152811.tif 000003
【図２】
0003152811.tif 000004
【図３】
0003152811.tif 000005
【図４】
0003152811.tif 000006
【図５】
0003152811.tif 000007
【図６】
0003152811.tif 000008
【図７】
0003152811.tif 000009